(57)【要約】      （修正有）【課題】迅速に組立てと分解が可能な折り畳みバスケットボールゴールフレームを提供する。【解決手段】前枠フレーム２上半部のバスケットボード２６前端面に少なくとも１個の第一バスケットボール枠２６１を備え、前枠フレームの第一左側棒２４の中段に２個の第一左関節２４１、２４２を備え、前枠フレームは下方へ連続して屈曲し、左枠フレーム３の左頂棒３１と左底棒３２の一端は左後棒３３に連接し、反対端は第一左側棒に連接し、右枠フレームの右頂棒は右底棒の一端と右後棒に連接し、反対端は第一右側棒に連接し、左後棒の中段は第一後関節３３１を備え、左、右後棒の上半部は後ろへ屈曲し、後枠フレーム７の上半部はガード部７５を備え、後枠フレームの左右両側は左、右連棒８、８１により左、右後棒に連接される。【選択図】図１
0003228152.tif 000002
【実用新案登録請求の範囲】
【請求項１】
バスケットボードを有する一端が前端と定義され、前記バスケットボードから離れたシュータの立ち位置が後端と定義され、シュータが前記バスケットボードと向き合う方向に対して左側端及び右側端が定義され、
前枠フレーム、左枠フレーム、右枠フレーム、中間連棒、第一頂棒、後枠フレーム、左連棒、右連棒、サポート棒、ネットロープを備え、
該前枠フレーム上半部には、上記バスケットボードを備え、該バスケットボードの前端面には、少なくとも１個の第一バスケットボール枠を備え、
該前枠フレームの第一左側棒の中段には、２個の第一左関節を備え、該前枠フレームの第一右側棒の中段には、該２個の第一左関節に対称な２個の第一右関節を備え、これにより該前枠フレームは下方へと連続して屈曲し、
上記左枠フレームは、左頂棒、左底棒、左後棒を備え、該左頂棒の一端と該左底棒の一端は、該左後棒にそれぞれ連接し、該左頂棒の反対端と該左底棒の反対端は、該第一左側棒にそれぞれ連接し、該左後棒の中段には、第一後関節を備え、これにより該左後棒の上半部は後ろへ屈曲可能に構成し、
上記右枠フレームは、右頂棒、右底棒、右後棒を備え、該右頂棒の一端と該右底棒の一端は、該右後棒にそれぞれ連接し、該右頂棒の反対端と該右底棒の反対端は、該第一右側棒にそれぞれ連接し、該右後棒の中段には、第二後関節を備え、これにより該右後棒の上半部は、後ろへ屈曲可能に構成し、
上記後枠フレームは、上半部にガード部を備え、該後枠フレームの第二左側棒は、左連棒の一端に連接し、該左連棒の反対端は、該左後棒に連接し、該後枠フレームの第二右側棒は、右連棒の一端に連接し、該右連棒の反対端は該右後棒に連接することを特徴とする折り畳みバスケットボールゴールフレーム。
【請求項２】
該第一頂棒の前端面には、少なくとも１個の第二バスケットボール枠を備え、該第一頂棒の左右両端は、該左後棒の頂端及び該右後棒の頂端にそれぞれ連接することを特徴とする請求項１に記載の折り畳みバスケットボールゴールフレーム。
【請求項３】
前記前枠フレームは、先ず前へ、次に下方へと連続して屈曲し、該左頂棒の反対端と該左底棒の反対端は、該第一左側棒にそれぞれ関節により接続し、これにより、該左枠フレームは、該第一左側棒に相対し水平に屈曲して回転し、
該右頂棒の反対端と該右底棒の反対端は、該第一右側棒にそれぞれ関節により接続し、これにより該右枠フレームは、該第一右側棒に相対し、水平に屈曲して回転し、
該第一頂棒の左右両端は、組立て／分解可能に、該左後棒の頂端及び該右後棒の頂端にそれぞれ連接されることを特徴とする請求項２に記載の折り畳みバスケットボールゴールフレーム。
【請求項４】
ネットロープをさらに備え、
該ネットロープは、折り畳みバスケットボールゴールフレームの外側周縁に連結され、該前枠フレームと該後枠フレームの間には、斜行ネットロープ面を形成することを特徴とする請求項1、2或いは３項のいずれか１項に記載の折り畳みバスケットボールゴールフレーム。
【請求項５】
該後枠フレームの上半部には、相互に平行な第二上頂棒及び第二下頂棒をさらに設置し、
該第二上頂棒の左端と該第二下頂棒の左端は、該第二左側棒に連接し、該第二上頂棒の右端と該第二下頂棒の右端は、該第二右側棒に連接することを特徴とする請求項３に記載の折り畳みバスケットボールゴールフレーム。
【請求項６】
前記折り畳みバスケットボールゴールフレームは、中間連棒及びサポート棒をさらに備え、
該中間連棒の左右両端は、組立て／分解可能に、該左後棒の底端及び該右後棒の底端にそれぞれ連接され、該サポート棒の上下両端は、組立て／分解可能に、該中間連棒と該第二下頂棒にそれぞれ連接されることを特徴とする請求項５に記載の折り畳みバスケットボールゴールフレーム。
【考案の詳細な説明】
【技術分野】
【０００１】
本考案は、折り畳みバスケットボールゴールフレームに関し、特に迅速に組立て／分解ができ、保管空間を節減でき、及び運搬、携帯に便利な折り畳みバスケットボールゴールフレームに関する。
【背景技術】
【０００２】
従来の屋外用バスケットボールゴールフレームは、みな、バスケットボール枠を備えるバスケットボード及びサポートフレームからなる。
室内で使用されるシューティングマシンのバスケットボールフレームでは、十分なサポート強度を確保するため、バスケットボール枠とシュートする人との間のサポートフレームの長さを二段階に区画する。
これにより、バスケットボールを投げ、バスケットボール枠或いはバスケットボードにボールがぶつかった後は、斜行ネットロープ面により下方へと転がり戻り、シュートする人は連続でバスケットボールをシュートすることができる。
【先行技術文献】
【特許文献】
【０００３】
【特許文献１】特開２０１１−１１５４７７号公報
【考案の概要】
【考案が解決しようとする課題】
【０００４】
しかし、上述のバスケットボールフレームは、数個の金属管及び平板を固定して組み立てられているが、組み立ての過程には時間がかかり、しかも組合せ後の全体体積は固定されている。
そのため、収納及び携帯に不便であるばかりか、非常に大きな保管空間を占拠する。
【０００５】
本考案の目的は、従来のバスケットボールフレームの組み立て及び分解に時間がかかり、保管時に大きな空間を占拠するという問題を解決でき、各サポート棒と各連結関節の対応組合せを通して、迅速な組立て／分解の効果を達成でき、分解後は保管空間を効果的に節減でき、運搬、携帯に便利な折り畳みバスケットボールゴールフレームを提供することである。
【課題を解決するための手段】
【０００６】
上記考案の目的を達成するため、本考案による折り畳みバスケットボールゴールフレームは、前枠フレーム、左枠フレーム、右枠フレーム、後枠フレームを備え、該前枠フレームの上半部には、バスケットボードを備え、バスケットボードの前端面には、少なくとも１個の第一バスケットボール枠を備え、前枠フレームの第一左側棒の中段には、２個の第一左関節を備え、前枠フレームの第一右側棒の中段には、２個の第一左関節、２個の第一右関節を左右対称に備え、該左枠フレームは、左頂棒、左底棒、左後棒を備え、左頂棒の一端は、左底棒の一端と左後棒にそれぞれ連接し、左頂棒の反対端は、左底棒の反対端と、第一左側棒にそれぞれ連接し、該右枠フレームは、右頂棒、右底棒、右後棒を備え、右頂棒の一端は、右底棒の一端と右後棒にそれぞれ連接し、該右頂棒の反対端は、右底棒の反対端と第一右側棒にそれぞれ連接し、右後棒の中段には、第二後関節を備え、これにより右後棒の上半部は前方へと屈曲し、該後枠フレームの上半部にガード部を備え、後枠フレームの第二左側棒は、左連棒の一端に連接し、左連棒の反対端は、左後棒に連接し、後枠フレームの第二右側棒は、右連棒の一端に連接し、右連棒の反対端は、右後棒に連接し、第一頂棒をさらに備え、第一頂棒の前端面には、少なくとも１個の第二バスケットボール枠を備え、第一頂棒の左右両端は、左後棒の頂端及び右後棒の頂端にそれぞれ連接し、該前枠フレームは先ず前へ、次に下方へと連続して屈曲し、左頂棒の反対端と左底棒の反対端は、第一左側棒にそれぞれ関節により接続し、これにより左枠フレームは、第一左側棒に相対し水平に屈曲して回転し、第一頂棒の左右両端は、組立て／分解可能に、左後棒の頂端及び右後棒の頂端にそれぞれ連接され、さらにネットロープを備え、このネットロープは、折り畳みバスケットボールゴールフレームの外側周縁に連結され、前枠フレームと後枠フレームの間には、斜行ネットロープ面を形成し、後枠フレームの上半部には、相互に平行な第二上頂棒及び第二下頂棒をさらに備え、第二上頂棒の左端と第二下頂棒の左端は、第二左側棒に連接し、第二上頂棒の右端と第二下頂棒の右端は、第二右側棒に連接し、中間連棒及びサポート棒をさらに備え、中間連棒の左右両端には、組立て／分解可能に左後棒の底端及び右後棒の底端をそれぞれ連接し、サポート棒の上下両端は、組立て／分解可能に、中間連棒と第二下頂棒をそれぞれ連接する。
【考案の効果】
【０００７】
本考案による折り畳みバスケットボールゴールフレームは確実に所期の目的を達成でき、各サポート棒と各連結関節の組合せにより迅速な組立て／分解の効果を実現し、しかも分解後には保管空間を有効に節減でき、運搬と携帯に便利である。
【図面の簡単な説明】
【０００８】
【図１】本考案実施例におけるネットロープ結合時の立体外観図である。
【図２】本考案実施例の立体外観図である。
【図３】本考案実施例における屈曲時の使用状態模式図である。
【図４】図３のａで囲った部分の局部拡大図である。
【図５】本考案実施例における折り畳み後の立体外観図である。
【図６】本考案第二実施例の立体外観図である。
【図７】本考案第二実施例における折り畳み後の使用状態模式図である。
【考案を実施するための形態】
【０００９】
〔実施例〕
【００１０】
図１、２に示すように、本考案の第１実施例による折り畳みバスケットボールゴールフレーム１の第一実施例は、前枠フレーム２、左枠フレーム３、右枠フレーム４、中間連棒５、第一頂棒６、後枠フレーム７、左連棒８、右連棒８１、サポート棒８２、ネットロープ８３を備える。
【００１１】
バスケットボード２６を備える一端を、折り畳みバスケットボールゴールフレーム１の前端と定義し、バスケットボード２６から離れ、シュートする人が立つ位置を、折り畳みバスケットボールゴールフレーム１の後端と定義し、シュートする人がバスケットボード２６に面する方向を、それぞれ折り畳みバスケットボールゴールフレーム１の左側端及び右側端と定義する。
【００１２】
前枠フレーム２は、直立の四辺形枠で、頂棒２１、底棒２２、中間横棒２３、第一左側棒２４、第一右側棒２５を備える。
【００１３】
前枠フレーム２上半部には、バスケットボード２６を設置し、バスケットボード２６の前端面には、間隔を開けて並列する２個の第一バスケットボール枠２６１を備える。
【００１４】
第一左側棒２４は、上段、中段、下段を備え、上段、中段の間と中段、下段の間には、それぞれ第一左関節２４１、２４２を設置する。
【００１５】
第一右側棒２５は、第一左側棒２４と同様に、上段、中段、下段を備え、上段、中段の間と中段、下段の間には、図２に示すようにそれぞれ第一右関節２５１、２５２を設置する。
【００１６】
２個の第一左関節２４１、２４２と２個の第一右関節２５１、２５２は相互に左右対称で、これにより前枠フレーム２の上半部は先ず後方へと屈曲後、次に下方へと連続屈曲する（図４及び図５参照）。
【００１７】
左枠フレーム３は、直立の長方形枠で、左頂棒３１、左底棒３２、左後棒３３を備える。
【００１８】
左頂棒３１の一端は、左後棒３３の上半部に連接し、左底棒３２の一端は、１個の左三方向コネクター３４により、左後棒３３の底端に連接される。
【００１９】
左頂棒３１の反対端は、関節により、左前側棒２４の中段位置に連結され、２個の第一左関節２４１、２４２の下方に位置する。
【００２０】
左底棒３２の反対端は、別種の関節により、左前側棒２４の底端に連結される。
【００２１】
これにより左枠フレーム３は、第一左側棒２４に相対して水平に屈曲して回転することができる。
【００２２】
左後棒３３の中段位置には、第一後関節３３１を備え、さらに、第一後関節３３１は、左頂棒３１と左後棒３３の連接位置の上方に位置し、これにより左後棒３３の上半部は、後ろへ屈曲し、左頂棒３１の上方に重ねることが可能となっている。
【００２３】
右枠フレーム４は直立の長方形枠で、前枠フレーム２の左右両側において左枠フレーム３と対称で、右枠フレーム４は、右頂棒４１、右底棒４２、右後棒４３を備える。
【００２４】
右頂棒４１の一端は、右後棒４３の上半部に連接し、右底棒４２の一端は、１個の右三方向コネクター４４により、右後棒４３の底端に連接する。
【００２５】
右頂棒４１の反対端は、関節により、第一右側棒２５の中段位置に連結し、２個の第一右関節２５１、２５２の下方に位置する。
【００２６】
右底棒４２の反対端は、別種の関節により、第一右側棒２５の底端に連結され、これにより右枠フレーム４は、第一右側棒２５に相対し水平に屈曲して回転することができる。
【００２７】
右後棒４３の中段位置には、第二後関節４３１を備え、さらに、第二後関節４３１は、右頂棒４１と右後棒４３の連接箇所の上方に位置し、これにより右後棒４３の上半部は後ろへ屈曲し右頂棒４１の上方に重ねさせることが可能になっている。
【００２８】
中間連棒５の左端は、左三方向コネクター３４により、左後棒３３の底端に連接され、中間連棒５の右端は、右三方向コネクター４４により、右後棒４３の底端に連接される。
【００２９】
そして、中間連棒５の長さは、左三方向コネクター３４の連接口と右三方向コネクター４４の連接口の間の距離よりやや長く、これにより左右移動の方式を利用し、中間連棒５の左右両端は、それぞれ組立て／分解可能な方式で左後棒３３及び右後棒４３に連接されている。
【００３０】
第一頂棒６の前端面には、間隔を開けて並列する２個の第二バスケットボール枠６１を備え、第一頂棒６の左端は、左Ｌ字型コネクターにより、左後棒３３の頂端に連接され、第一頂棒６の右端は、右Ｌ字型コネクターにより、右後棒４３の頂端に連接されている。
【００３１】
第一頂棒６の長さは、左Ｌ字型コネクターの連接口と右Ｌ字型コネクターの連接口の間の距離よりやや長く、これにより左右移動の方式を利用し、第一頂棒６の左右両端は、それぞれ組立て／分解可能に、左後棒３３及び右後棒４３に連接されている。
【００３２】
後枠フレーム７は、直立した長方形枠で、第二左側棒７１、第二右側棒７２、第二上頂棒７３、第二下頂棒７４を備える。
【００３３】
第二左側棒７１の中段位置は、左連棒８の一端に把持部を介して連接し、左連棒８の反対端は、把持部を介して後ろへ向かい左後棒３３に連接する。
【００３４】
第二右側棒７２の中段位置は、右連棒８１の一端に把持部を介して連接し、右連棒８１の反対端は、把持部を介して後ろへ向かい右後棒４３に連接する。
【００３５】
第二上頂棒７３と第二下頂棒７４は相互に平行で、第二上頂棒７３の左端は、エルボにより、左後側棒７１の頂端に連接され、第二上頂棒７３の右端は、別のエルボにより、第二右側棒７２の頂端に連接される。
【００３６】
第二下頂棒７４の左端は、Ｔ字型管により、第二左側棒７１に連接され、第二下頂棒７４の右端は、別のＴ字型管により、第二右側棒７２に連接される。
【００３７】
サポート棒８２の上下両端には把持部が設けられており、このサポート棒８２の上下両端は、中間連棒５の中間位置と第二下頂棒７４の中間位置に、それぞれ組立て／分解可能に接続される。
【００３８】
ネットロープ８３は、折り畳みバスケットボールゴールフレーム１の外側周縁に連結され、これにより前枠フレーム２のバスケットボード２６下方及び折り畳みバスケットボールゴールフレーム１の左右両側に、それぞれガードを形成する。
【００３９】
前枠フレーム２の中間横棒２３と後枠フレーム７の第二下頂棒７４の間には、斜行ネットロープ面８３１を形成する。
【００４０】
これにより、使用者がバスケットボールを投げ、バスケットボール枠６１、２６１或いはバスケットボード２６にぶつかると、後ろへ向かい下方へと転がって戻ってくる。
【００４１】
第二上頂棒７３と第二下頂棒７４の間に形成されるガード部７５は、転がって戻ってくるバスケットボールを停止させ、多数のバスケットボールを保管できる。
【００４２】
図３〜５に示すように、本考案の実施例では、先ず後枠フレーム７を分解し、左連棒８、右連棒８１、サポート棒８２を取り除き、中間連棒５と第一頂棒６を取り出せば、左後棒３３と右後棒４３の上半部をそれぞれ前方へと屈曲させられ、左頂棒３１と右頂棒４１の上方に重ね、左枠フレーム３と右枠フレーム４は、それぞれ回転し、前枠フレーム２の後側に並列して重ねられる。
【００４３】
これにより、第一左側棒２４及び第一右側棒２５の上半部は、先ず、同時に後ろへ、次に下方へと連続屈曲し、前枠フレーム２の高さを縮小し、左枠フレーム３と右枠フレーム４に重ねて覆うことができる。
【００４４】
次に、図６、７に示す、本考案の第２実施例による折り畳みバスケットボールゴールフレーム１について、第一実施例との主な差異を以下に記述する。
【００４５】
左頂棒３１の反対端は、第一左側棒２４の中段位置に連接して固定され、左底棒３２の反対端は、第一左側棒２４の底端に連接して固定される。
【００４６】
右頂棒４１の反対端は、第一右側棒２５の中段位置に連接して固定され、右底棒４２の反対端は、第一右側棒２５の底端に連接して固定される。
【００４７】
サポート棒８２は、伸縮可能な連接管であり、両端に把持部を備える。
【００４８】
こうして、前枠フレーム２が先ず後ろへ向かい、次に下方へと連続屈曲し、及び、左後棒３３と右後棒４３が同時に第一頂棒６の後ろへの屈曲を連動することで、第一実施例に比べさらに迅速に折り畳め、同様にさらに迅速に展開でき、操作時間を節減できる。
【００４９】
サポート棒８２は、伸縮可能であるため、短縮後には各サポート棒と並べて袋に入れられ、折り畳みはさらに効率的となる。
なお、符合９１は、他のサポート棒であり、両端に把持部を備えている。
【００５０】
上記によれば、本考案による折り畳みバスケットボールゴールフレームは確実に所期の目的を達成でき、各サポート棒と各連結関節の組合せにより迅速な組立て／分解の効果を実現し、しかも分解後には保管空間を有効に節減でき、運搬と携帯に便利である。
【産業上の利用可能性】
【００５１】
本考案は、実用新案登録の要件である新規性を備え、従来の同類製品に比べ十分な進歩を有し、実用性が高く、社会のニーズに合致しており、産業上の利用価値は非常に大きい。
【符号の説明】
【００５２】
１  折り畳みバスケットボールゴールフレーム
２  前枠フレーム
２１  頂棒
２２  底棒
２３  中間横棒
２４  第一左側棒
２４１、２４２  第一左関節
２５  第一右側棒
２５１、２５２  第一右関節
２６  バスケットボード
２６１  第一バスケットボール枠
３  左枠フレーム
３１  左頂棒
３２  左底棒
３３  左後棒
３３１  第一後関節
３４  左三方向コネクター
４  右枠フレーム
４１  右頂棒
４２  右底棒
４３  右後棒
４３１  第二後関節
４４  右三方向コネクター
５  中間連棒
６  第一頂棒
６１  第二バスケットボール枠
７  後枠フレーム
７１  第二左側棒
７２  第二右側棒
７３  第二上頂棒
７４  第二下頂棒
７５  ガード部
８  左連棒
８１  右連棒
８２  サポート棒
８３  ネットロープ
８３１  斜行ネットロープ面
【図１】
0003228152.tif 000003
【図２】
0003228152.tif 000004
【図３】
0003228152.tif 000005
【図４】
0003228152.tif 000006
【図５】
0003228152.tif 000007
【図６】
0003228152.tif 000008
【図７】
0003228152.tif 000009